【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
棒状の柄（え）（１１）を有し、その軸方向の一端にクリーニング機構（１２）を有する歯間クリーナーであって、このクリーニング機構（１２）が前記柄の軟質弾性プラスチック製の被覆（１４）を含み、この被覆（１４）の外側に１つの構造体（１９）が形成されており、この構造体が、半径方向要素が被覆（１４）から突き出ている複数の指状突起（１５）を有し、これらの指状突起が被覆（１４）と同一の材料からなり、被覆と一体に結合されている歯間クリーナーにおいて、前記構造体（１９）が付加的に植毛部を備え、この植毛部は、半径方向要素が前記被覆（１４）から突き出ている複数の毛束（１６）、または、複数の単毛（２０）を有しており、これら複数の毛束、または、複数の単毛はそれぞれ、最大直径が０．２５ｍｍであるプラスチック製の単一繊維またはマルチ繊維の細い、前加工された部分で形成されており、前記柄（１１）がプラスチック製であり、前記複数の毛束（１６）、または、複数の単毛（２０）が前記被覆（１４）を貫通し、前記柄（１１）で保持されており、且つ、前記柄（１１）に埋め込まれていることを特徴とする歯間クリーナー。
【請求項２】
複数の毛束（１６）、または、複数の単毛（２０）が少なくとも１つの毛輪（１８）を形成して、前記被覆（１４）の円周上に分布して配置されていることを特徴とする請求項１に記載の歯間クリーナー。
【請求項３】
複数の指状突起（１５）が少なくとも１つの指状突起輪（１７）を形成して、前記被覆（１４）の円周上に分布して配置されていることを特徴とする請求項１または２に記載の歯間クリーナー。
【請求項４】
前記複数の毛輪（１８）と前記複数の指状突起輪（１７）とが前記被覆（１４）の長手方向に交互に配置されていることを特徴とする請求項３に記載の歯間クリーナー。
【請求項５】
前記複数の毛束（１６）、または、複数の単毛（２０）の少なくとも幾つかが、寸法Ｍだけ前記複数の指状突起（１５）を超えて半径方向に突き出ていることを特徴とする請求項１から４のいずれか１つに記載の歯間クリーナー。
【請求項６】
前記寸法Ｍが０．１ｍｍから１．５ｍｍの範囲にあることを特徴とする請求項５に記載の歯間クリーナー。
【請求項７】
前記寸法Ｍが０．３ｍｍから０．７ｍｍの範囲にあることを特徴とする請求項５に記載の歯間クリーナー。
【請求項８】
前記複数の指状突起（１５）の少なくとも幾つかが、寸法Ｎだけ前記複数の毛束（１６）、または、複数の単毛（２０）を超えて半径方向に突き出ていることを特徴とする請求項１から７のいずれか１つに記載の歯間クリーナー。
【請求項９】
前記寸法Ｎが０．１ｍｍから１．５ｍｍの範囲にあることを特徴とする請求項８に記載の歯間クリーナー。
【請求項１０】
前記寸法Ｎが０．３ｍｍから０．７ｍｍの範囲にあることを特徴とする請求項８に記載の歯間クリーナー。
【請求項１１】
前記複数の毛束（１６）、または、複数の単毛（２０）が、被覆（１４）の長手方向に延びている少なくとも１つの毛列（２１、２２）に配列されていることを特徴とする請求項１から１０のいずれか１つに記載の歯間クリーナー。
【請求項１２】
前記毛列（２１）が前記被覆（１４）の長手方向に直線状に延びていることを特徴とする請求項１１に記載の歯間クリーナー。
【請求項１３】
前記毛列（２２）が前記被覆（１４）の長手方向に螺旋状に延びていることを特徴とする請求項１１に記載の歯間クリーナー。
【請求項１４】
前記指状突起（１５）の少なくとも１つが、１つの毛束（１６）、または、少なくとも１つの単毛（２０）により貫通されていることを特徴とする請求項１から１３のいずれか１つに記載の歯間クリーナー。
【請求項１５】
前記毛束（１６）、または、前記少なくとも１つの単毛（２０）が、前記指状突起（１５）の半径方向外側端部から突き出ていることを特徴とする請求項１４に記載の歯間クリーナー。
【請求項１６】
前記指状突起（１５）が１本ないし４本の単毛（２０）で貫通されていることを特徴とする請求項１４または１５に記載の歯間クリーナー。
【請求項１７】
前記複数の毛束（１６）、または、複数の単毛（２０）の半径方向内側端部が前記柄（１１）内で保持されていることを特徴とする請求項１から１６のいずれか１つに記載の歯間クリーナー。
【請求項１８】
前記複数の毛束（１６）、または、複数の単毛（２０）が前記柄（１１）を半径方向に貫通し、柄の反対側から突き出ていることを特徴とする請求項１から１７のいずれか１つに記載の歯間クリーナー。
【請求項１９】
前記複数の毛束（１６）、または、複数の単毛（２０）がＵ字形またはＶ字形に成形され、それらのベース部が前記柄（１１）に埋め込まれていることを特徴とする請求項１から１７のいずれか１つに記載の歯間クリーナー。
【請求項２０】
前記複数の毛束（１６）、または、複数の単毛（２０）がＬ字形に成形され、Ｌ字脚の一方が前記柄（１１）に埋め込まれ、Ｌ字脚の他方が柄から突き出ていることを特徴とする請求項１から１７のいずれか１つに記載の歯間クリーナー。
【請求項２１】
前記複数の毛束（１６）、および／または、複数の単毛（２０）の１つの端部が幅広のヘッド（２３）を備え、このヘッドが前記柄（１１）に埋め込まれていることを特徴とする請求項１から１７のいずれか１つに記載の歯間クリーナー。
【手続補正２】
【補正対象書類名】明細書
【補正対象項目名】００２８
【補正方法】変更
【補正の内容】
【００２８】
【図１】第１の実施例による歯間クリーナーの斜視図
【図２】図１の歯間クリーナーの前方端部の拡大図
【図３】図２のＩＩＩ−ＩＩＩ断面図
【図４】図２のＩＶ−ＩＶ断面図
【図５】図４の形態の１つの変形
【図６】第２の実施例による歯間クリーナーの前方端部
【図７】図６の実施例の１つの変形
【図８】第３の実施例による歯間クリーナーの前方端部
【図９】図８のＩＸ−ＩＸ断面図
【図１０】図８のＸ−Ｘ断面図
【図１１】図８の実施例の１つの変形
【図１２】第４の実施例による歯間クリーナーの前方端部
【図１３】図１２のＸＩＩＩ−ＸＩＩＩ断面図
【図１４】図１２の実施例の１つの変形
【図１５】図２の形態の１つの変形
【図１６】毛固定部の複数の代案の断面図
【図１７】Ｌ字形毛束の断面図
【図１８】Ｕ字形毛束の断面図
【手続補正３】
【補正対象書類名】明細書
【補正対象項目名】００４４
【補正方法】変更
【補正の内容】
【００４４】
前述の複数の実施例では複数の毛束１６、および／または、複数の単毛２０、および／または、複数の指状突起１５は環状の指状突起輪の中に配置されていた。しかし、図１５の実施例では、それぞれの指状突起が隣り合う指状突起に対して歯間クリーナーの軸方向すなわち長手方向においてずらして配置されている。毛束１６、および／または、単毛についても同様である。このようにした結果、この歯間クリーナーを歯間部に軸方向に挿入すると、複数の指状突起１５が次々に歯の表面と接触し、その結果、抵抗が小さくなる。毛束１６についても同様である。
【手続補正４】
【補正対象書類名】明細書
【補正対象項目名】００４５
【補正方法】変更
【補正の内容】
【００４５】
図１６は毛束１６を柄１１の材料内に固定するための複数の代案を示す。図１６の上側に示された第１形態では、毛束１６の半径方向内側端部で幅広のヘッド２３が形成され、このヘッドによって毛束１６が柄１１の材料に埋め込まれているので、嵌め合い的な方法における大きな引抜き強さが得られる。
【手続補正５】
【補正対象書類名】明細書
【補正対象項目名】００４６
【補正方法】変更
【補正の内容】
【００４６】
図１６の中央に示された第２形態では毛束１６は、柄１１の材料を完全に貫通し、柄の反対側から突き出るように、長くなっている。